(57)【特許請求の範囲】
【請求項１】
組成がAxB(0.5-x/2)LnM2O8で表されることを特徴とする耐水性希土類顔料。但し０＜ｘ≦１，組成中のAはアルカリ金属より選ばれた少なくとも1種であり，Bはアルカリ土類金属より選ばれた少なくとも1種であり，Lnは希土類元素より選ばれた少なくとも1種であり，Mはモリブデンまたはタングステンから選ばれた少なくとも1種である。
【請求項２】
上記アルカリ土類金属として、カルシウムを用いることを特徴とする請求項1に記載の耐水性希土類顔料。
【請求項３】
上記希土類元素として、セリウムを用いることを特徴とする請求項1又は２に記載の耐水性希土類顔料。
【請求項４】
上記希土類元素として、ユウロピウムを用いることを特徴とする請求項1又は２に記載の耐水性希土類顔料。
【請求項５】
上記希土類元素として、ネオジムを用いることを特徴とする請求項1又は２に記載の耐水性希土類顔料。
【請求項６】
上記構成元素以外の元素を添加することを特徴とする請求項1乃至５の何れか１項に記載の耐水性希土類顔料。
【発明の詳細な説明】
【０００１】
【発明の属する技術分野】
本発明は、耐水性を改善した希土類顔料に関する。
【０００２】
【従来の技術】
無機顔料は耐熱性、耐候性に優れているためエンジニヤリングプラスチックなどの高温成形材料や建材への利用、塗料、絵の具、陶磁器など多くの需要がある。また、希土類元素は４ｆ軌道内に不対電子をもっているため顔料や発光材料に用いられている。
【０００３】
【発明が解決しようとする課題】
しかしながら、無機顔料には重金属や遷移金属を含むものが多く、それら金属イオンが流出した場合、環境や人体に影響を及ぼす恐れがあった。特にカドミウム，鉛を含む顔料は、その使用が厳しく制限されている。
この問題を解決するため、希土類元素を用いた黄色系顔料が研究開発され提案された。しかし、この化合物はアルカリ金属イオンを含有するため耐水性に弱いという問題を有する。
また、アルカリ金属イオンを含むため、屋外の使用や水が存在する環境下ではアルカリ金属イオンが溶出する恐れがあり、使用範囲が制限されるという問題を有する。
【０００４】
本発明は上記問題点を解決するためになされたものであり、結晶構造を保持しながら水への溶解性の高いアルカリ金属イオンの含有量を減少させ、従来の無機顔料が使用されている分野、例えば一般樹脂およびエンジニヤリングプラスチック樹脂の着色、塗料、インキ、セラミックス、建材等の分野、また発光材料として用いられる分野において有用な耐水性希土類顔料を提供することを目的とする。
【０００５】
【課題を解決するための手段】
本発明者らは、上記目的を達成するため種々の組成からなる化合物を調製し検討した結果、組成がAxB(0.5-x/2)LnM2O8で表される希土類化合物において希土類イオン特有の発色が得られ、アルカリ金属含有量を減少させることにより耐水性が向上できることを明らかにした。
【０００６】
本発明に係る耐水性希土類顔料は、ALnM2O8（組成中のAはアルカリ金属からなる群より選ばれた少なくとも1種であり、Lnは希土類元素より選ばれた少なくとも1種であるであり，Mはモリブデンおよびタングステンより選ばれた少なくとも1種である）のアルカリ金属イオンを、アルカリ土類金属で置換することにより耐水性を高めることができる。
【０００７】
即ち、本発明に係る耐水性希土類顔料は組成がAxB(0.5-x/2)LnM2O8（但し、０＜ｘ≦１、組成中のAはアルカリ金属（Li、Na、K、Rb、Cs、Fr）より選ばれた少なくとも1種であり、組成中のBはアルカリ土類金属（Ca、Sr、Mg、Ba、Be、Ra）より選ばれた少なくとも1種であり、Lnは希土類元素からなる群より選ばれた少なくとも1種である）であることを特徴とする。
【０００８】
前記AxB(0.5-x/2)LnM2O8（但し０＜ｘ≦１、組成中のAはアルカリ金属より選ばれた少なくとも1種であり、Bはアルカリ土類金属より選ばれた少なくとも1種であり、Lnは希土類元素より選ばれた少なくとも1種であるであり、Mはモリブデンおよびタングステンより選ばれた少なくとも1種でありある）の製造方法は、固相反応法、沈殿法、水熱合成法、グリコサーマル法、ゾルーゲル法、噴霧熱分解法などが考えられるが、いずれの方法に限定されるものではない。
また、焼成を行なう場合、固相反応法では500℃から1300℃の焼成で目的化合物を得ることができるが、AxB(0.5-x/2)LnM2O8の構造が生成するような焼成温度、保持時間であれば焼成温度も限定されない。
【０００９】
【発明の実施の形態】
以下、本発明の実施の形態を以下の実施例に基づいて説明する。
【００１０】
【実施例１】
組成AxB(0.5-x/2)LnM2O8において、Aのアルカリ金属としてリチウム（Li）を、Bのアルカリ土類金属としてカルシウム（Ca）を、Lnの希土類元素としてセリウム（Ce）を用いてLixCa(0.5-x/2)CeM2O8を構成し、x=0，0.25，0.50，0.75，1.0となるように化学量論比で炭酸リチウム（Li2CO3），炭酸カルシウム（CaCO3），酸化モリブデン（MoO3），酸化セリウム（CeO2）を正確に秤量し，ボールミルを使用して均一に混合して原料混合体とした。
次に、得られた原料混合体を、アルミナ製るつぼに入れ600℃〜900℃の温度で6時間焼成した。得られた焼成物をアルミナ乳鉢で十分に粉砕し目的化合物を得た。
【００１１】
上記カルシウム（Ca）の配合量の増加によって高い焼成温度が必要であることがわかった。LiCeMo2O8は600℃で単一相が得られるが、Ca0.5CeMo2O8では900℃以上の焼成が必要であった。
得られた化合物は、LiCeMo2O8と同形のX線回折パターンを示すことから同一な結晶構造を有していることが確認された。
そして、図１に示すように、分光反射率曲線において硫化カドミウム（CdＳ）と比較すると、Ca0.5CeMo2O8は550nm未満の波長で吸収が弱くなるが、550nm以上では硫化カドミウムに匹敵する反射率を示した。
Ca0.5CeMo2O8は、明度64.7%，刺激純度75.7%，主波長579.0nmの鮮やかな黄色を呈し、アルカリ金属元素含有量を低下させることにより耐水性を向上させ無機顔料として有用であることがわかった。
【００１２】
【実施例２】
上記した実施例１同様、組成AxB(0.5-x/2)LnM2O8において、Aのアルカリ金属としてリチウム（Li）を、Bのアルカリ土類金属としてカルシウム（Ca）を、Lnの希土類元素としてユウロピウム（Eu）を用いてLixCa(0.5-x/2)EuM2O8を構成し、Ca0.5EuMo2O8となるように化学量論比で炭酸カルシウム（CaCO3），酸化モリブデン（MoO3），酸化ユウロピウム（Eu2O3）を正確に秤量し、エタノール中でボールミルを使用して均一に混合して原料混合体とした。
つぎに、得られた原料混合体を、アルミナ製るつぼに入れ900℃の温度で6時間焼成した。得られた焼成物をアルミナ乳鉢で十分に粉砕し目的化合物を得た。
【００１３】
まだICDDカードに登録されていないため、生成物の同定はできなかったが、図４に示すように前記した実施例１の希土類元素としてセリウム（Ce）を用いた化合物と同形のX線回折パターンを示すことから同一構造であると考えられる。
このことからCa0.5EuMo2O8が生成していることが確認できた。
この化合物を分光蛍光光度計により測定した結果、図２に示すように615nmをピークとする赤色の発光が観測された。
又、図２に示すように361nm，381nm，394nm，415nm，464nm，535nmをピークとするシャープな励起帯が確認され、これらの波長を有する光源、たとえば紫外LED，青色LED，緑色LED，陰極管などに好適に用いることが可能である。
【００１４】
【実施例３】
組成AxB(0.5-x/2)LnM2O8において、Aのアルカリ金属としてリチウム（Li）を、Bのアルカリ土類金属としてカルシウム（Ca）を、Lnの希土類元素としてネオジム（Nd）を用いてLixCa(0.5-x/2)NdM2O8を構成し、Ca0.5NdMo2O8となるように化学量論比で炭酸カルシウム（CaCO3），酸化モリブデン（MoO3），酸化ネオジム（Nd2O3）を正確に秤量し、エタノール中でボールミルを使用して均一に混合して原料混合体とした。
つぎに、得られた原料混合体をアルミナ製るつぼに入れ900℃の温度で6時間焼成した。得られた焼成物をアルミナ乳鉢で十分に粉砕し目的化合物を得た。
【００１５】
まだICDDカードに登録されていないため、生成物の同定はできなかったが、図４に示すように前記実施例１のセリウム（Ce）、及び実施例２のユウロピウム（Eu）を用いた化合物と同形のX線回折パターンを示すことから同一構造であると考えられる。
そして、分光光度計で分光反射率を測定した結果、図３に示すようにNd3+イオンによる部分的な吸収帯が確認された。
このことから、この顔料をフィルターに用いた場合、光の３原色である青，緑，赤の透過率が高く、中間色（青緑，黄色など）は吸収されやすいことが容易に推測できる。
従って、液晶，カラーテレビ，ELディスプレイ，PDPなどのディスプレイに用いれば、コントラストを高めることが可能であり、有用に利用することができる。
【００１６】
【実施例４】
Ca0.5CeMo2O8の化学量論組成となるように、酸化モリブデン（MoO3），酸化セリウム（CeO2），酸化カルシウム（CaCO3）を正確に秤量し、Ca0.5CeMo2O8に対しリン酸水素二アンモニウム（(NH4)2HPO4）を０mol％から20mol％外配合で添加した。これらの試薬をエタノール中でボールミルを使用して均一に混合して原料混合体とした。
つぎに、得られた原料混合体を、アルミナ製るつぼに入れ900℃の温度で6時間焼成した。得られた焼成物をアルミナ乳鉢で十分に粉砕し目的化合物を得た。
【００１７】
得られた化合物は、Ｘ線回折より実施例１の希土類元素としてセリウム（Ce）を用いた化合物と同形のX線回折パターンを示すことから同じ結晶構造を持つことが確認された。600nmから700nmの分光反射率が増加して色相は赤み方向にシフトした。このことから燐（Ｐ）の添加により600nmから700nmの反射率を増加させ、色相を赤み方向にシフトできることがわかった。その結果を〔表１〕に示す。
【００１８】
【表１】
0004028992.tif 000002
【００１９】
【発明の効果】
以上説明の通り、本発明に係る耐水性希土類顔料によれば、有害な物質を含まず、高い着色力または発光強度を有し、従来の無機顔料が使用されている分野，例えば一般樹脂及びエンジニヤリングプラスチック樹脂の着色、塗料、インキ、セラミックス、建材または発光材料、ディスプレイ等の分野において有用な黄色系顔料を提供できると共に、アルカリ金属元素の含有量を低下させることによって耐水性を改善することができる。
【図面の簡単な説明】
【図１】  実施例１による化合物の分光反射率を示すグラフ
【図２】  実施例２による化合物の励起波長及び発光波長を示すグラフ
【図３】  実施例３による化合物の分光反射率を示すグラフ
【図４】  実施例１から３による化合物のX線回折パターンを示すグラフ
【図１】
0004028992.tif 000003
【図２】
0004028992.tif 000004
【図３】
0004028992.tif 000005
【図４】
0004028992.tif 000006